(57)【要約】【課題】顧客から外部サービスの利用手配の代行が依頼された場合に、その手配データを注文データと共に伝票データとして処理できるようにする。【解決手段】オーダ端末装置１は、顧客から注文を受けた場合にその注文データを入力処理してコントロールボックス２に送信し、顧客から外部サービスの利用手配の代行が依頼された場合にその手配データを入力処理してコントロールボックス２に送信し、コントロールボックス２は、オーダ端末装置１から受信した同一顧客の注文データと手配データとを対応付けて一取引分の伝票データとして記憶管理するほか、伝票データ毎にその手配データに基づいて外部サービスの利用手配を行う。【選択図】  図１
2013171492.tif 000002
【特許請求の範囲】
【請求項１】
一取引分の注文データを伝票データとして記憶管理する伝票管理装置と、顧客から注文された注文データを入力するオーダ端末装置とを備えた注文データ処理システムであって、
前記オーダ端末装置は、
顧客から注文された注文データを入力処理して前記伝票管理装置に送信する注文データ処理手段と、
顧客から外部サービスの利用手配の代行が依頼された場合に、その手配データを入力処理して前記伝票管理装置に送信する手配データ処理手段と、
を備え、
前記伝票管理装置は、
前記オーダ端末装置から受信した同一顧客の前記注文データと前記手配データとを対応付けて一取引分の伝票データとして記憶管理する伝票データ記憶手段と、
前記伝票データ記憶手段に記憶されている伝票データ毎にその手配データに基づいて前記外部サービスの利用手配を行う手配手段と、
を備える、
ことを特徴とする注文データ処理システム。
【請求項２】
前記伝票管理装置から伝票データを受信取得して顧客用の伝票を発行するプリンタ装置を更に備え、
前記伝票管理装置の手配手段は、前記手配データを前記プリンタ装置に送信することによって手配指示用の伝票を印刷発行させる、
ようにしたことを特徴とする請求項１に記載の注文データ処理システム。
【請求項３】
前記伝票管理装置から伝票データを受信して会計処理を行う会計装置を更に備え、
前記伝票管理装置の手配手段は、前記手配データを前記会計装置に送信することによりレシート発行用のプリンタ装置から手配指示用の伝票を印刷発行させる、
ようにしたことを特徴とする請求項１に記載の注文データ処理システム。
【請求項４】
前記伝票管理装置から伝票データを受信して会計処理を行う会計装置を更に備え、
前記伝票管理装置の手配手段は、前記手配データを前記会計装置に送信することによって手配指示用のメッセージを表示させる、
ようにしたことを特徴とする請求項１あるいは請求項３に記載の注文データ処理システム。
【請求項５】
前記伝票管理装置は、
前記手配データに対応付けて手配の手配進捗状況を記憶する手配進捗状況記憶手段と、
前記手配進捗状況記憶手段内の手配進捗状況を更新する更新手段と、
前記更新手段により更新された手配進捗状況を前記オーダ端末装置に送信する手配進捗状況送信手段と、
を更に備える、
ようにしたことを特徴とする請求項１〜請求項４のいずれかに記載の注文データ処理システム。
【請求項６】
前記オーダ端末装置は、
顧客からその手配進捗状況の確認要求を受けた際に、前記伝票管理装置に対して手配進捗状況の確認要求を送信する確認要求手段と、
前記確認要求手段の要求に応答して前記伝票管理装置から受信した手配進捗状況を表示する手配進捗状況表示手段と、
を更に備え、
ようにしたことを特徴とする請求項５に記載の注文データ処理システム。
【請求項７】
前記手配データ処理手段は、顧客から外部サービスの利用手配の代行が依頼された場合に、注文データを入力する入力画面にその手配データを入力する、
ようにしたことを特徴とする請求項１〜請求項６のいずれかに記載の注文データ処理システム。
【請求項８】
前記外部サービスの利用手配データは、少なくとも外部サービスを利用する利用量、利用タイミングを含むデータである、
ことを特徴とする請求項１に記載の注文データ処理システム。
【請求項９】
前記伝票管理装置は、
前記外部サービスの利用手配データに対応付けて手配済みか否かを示す手配進捗状況を記憶する手配進捗状況記憶手段と、
前記オーダ端末装置から前記利用手配のキャンセルを受けた場合に、前記手配進捗状況記憶手段の内容を参照して手配済みか否かを判別し、未手配の顧客に対してそのキャンセル分を割り当てるキャンセル処理を行うキャンセル処理手段を更に備える、
ようにしたことを特徴とする請求項１〜請求項８のいずれかに記載の注文データ処理システム。
【請求項１０】
前記伝票管理装置は、
広域通信網を介して外部サービスシステムに接続する接続手段を更に備え、
前記手配手段は、前記外部サービスの利用手配データをそのサービスシステムに送信することにより前記外部サービスの利用手配を行う、
ようにしたことを特徴とする請求項１に記載の注文データ処理システム。
【請求項１１】
前記外部サービスは、タクシー配車サービスであり、
前記外部サービスの利用手配データは、前記タクシー配車サービスを利用する代行依頼を受けた場合のタクシー利用に関する手配データである、
ことを特徴とする請求項１〜請求項１０のいずれかに記載の注文データ処理システム。
【請求項１２】
前記外部サービスは、施設予約サービスであり、
前記外部サービスの利用手配データは、前記施設予約サービスを利用する代行依頼を受けた場合の施設利用に関する手配データである、
ことを特徴とする請求項１〜請求項１０のいずれかに記載の注文データ処理システム。
【請求項１３】
前記外部サービスは、商品配達サービスであり、
前記外部サービスの利用手配データは、前記商品配達サービスを利用する代行依頼を受けた場合の配達利用に関する手配データである、
ことを特徴とする請求項１〜請求項１０のいずれかに記載の注文データ処理システム。
【請求項１４】
一取引分の注文データを伝票データとして記憶管理する伝票管理装置であって、
顧客から注文された注文データを入力処理して送信する注文データ処理と、顧客から外部サービスの利用手配の代行が依頼された場合にその手配データを入力処理して送信する手配データ処理を実行可能なオーダ端末装置に対して通信接続する通信手段と、
前記オーダ端末装置から受信した同一顧客の前記注文データ及び手配データを一取引分の伝票データとして記憶管理する伝票データ記憶手段と、
前記伝票データ記憶手段に記憶されている伝票データ毎にその手配データに基づいて前記外部サービスの利用手配を行う手配手段と、
を備えるようにしたことを特徴とする伝票管理装置。
【請求項１５】
コンピュータに対して、
顧客から注文された注文データを入力処理して送信する注文データ処理と、顧客から外部サービスの利用手配の代行が依頼された場合にその手配データを入力処理して送信する手配データ処理を実行可能なオーダ端末装置に対して通信接続する機能と、
前記オーダ端末装置から受信した同一顧客の前記注文データ及び手配データを一取引分の伝票データとして記憶管理する機能と、
前記伝票データ記憶手段に記憶されている伝票データ毎にその手配データに基づいて前記外部サービスの利用手配を行う機能と、
を実現させるためのプログラム。
【発明の詳細な説明】
【技術分野】
【０００１】
本発明は、注文データを伝票データとして記憶管理する伝票管理装置と、顧客から注文された注文データを入力処理して伝票管理装置に送信するオーダ端末装置とを備えた注文データ処理システム及び伝票管理装置並びにプログラムに関する。
【背景技術】
【０００２】
一般に、レストランなどの飲食店において構築されている注文データ処理システムは、ハンディ型の注文データ入力装置（オーダ端末装置：ハンディターミナル）、厨房用のキッチンプリンタ、ＥＣＲ（Electronic Cash Register）などを備え、注文者（顧客）は、メニューを見ながら所望する品目を注文し、受注者（店員）は、注文を聞き取ってオーダ端末装置の入力画面（品名の一覧画面）に注文データを入力する。オーダ端末装置は、注文データが入力されると、入力された注文データをアクセスポイントを経由して厨房内のキッチンプリンタに送信して調理指示用の伝票を発行させたり、ＥＣＲに送信したりする。このような注文データ処理システムとして従来においては、特許文献１、特許文献２など多数の技術が開示されている。
【先行技術文献】
【特許文献】
【０００３】
【特許文献１】特表２０１０−５２１０１８号公報
【特許文献２】特開２０１０−１７６５４９号公報
【発明の概要】
【発明が解決しようとする課題】
【０００４】
ところで、近年、レストランなどの飲食店においては、過当競争が激しく、競合店との差別化を図るためにもサービス券を発行するなど、独自のサービスを提供するようにしているが、更に、顧客からタクシーの呼出が依頼された場合に、それに応じてタクシーの呼出手配を行うようにしている。このような場合、その依頼を受けた店員は、タクシー会社に電話をかけて通話呼出を行うか、他の店員にその呼出を指示するようにしているが、店が混雑しているときなどでは、どの顧客から依頼を受けたのか、呼出のタイミングは何時であったか、呼出台数は何台であったかなどを忘れたり、間違えたりすることも多く、その呼出業務が困難なものとなり、本来の注文業務に支障を来してしまうことがある。
【０００５】
本発明の課題は、顧客から外部サービスの利用手配の代行が依頼された場合に、その手配データを注文データと共に伝票データとして処理できるようにすることである。
【課題を解決するための手段】
【０００６】
上述した課題を解決するために本発明の注文データ処理システムは、
一取引分の注文データを伝票データとして記憶管理する伝票管理装置と、顧客から注文された注文データを入力するオーダ端末装置とを備えた注文データ処理システムであって、
前記オーダ端末装置は、
顧客から注文された注文データを入力処理して前記伝票管理装置に送信する注文データ処理手段と、
顧客から外部サービスの利用手配の代行が依頼された場合に、その手配データを入力処理して前記伝票管理装置に送信する手配データ処理手段と、
を備え、
前記伝票管理装置は、
前記オーダ端末装置から受信した同一顧客の前記注文データと前記手配データとを対応付けて一取引分の伝票データとして記憶管理する伝票データ記憶手段と、
前記伝票データ記憶手段に記憶されている伝票データ毎にその手配データに基づいて前記外部サービスの利用手配を行う手配手段と、
を備える、
ことを特徴とする注文データ処理システムである。
【０００７】
上述した課題を解決するために本発明の伝票管理装置は、
一取引分の注文データを伝票データとして記憶管理する伝票管理装置であって、
顧客から注文された注文データを入力処理して送信する注文データ処理と、顧客から外部サービスの利用手配の代行が依頼された場合にその手配データを入力処理して送信する手配データ処理を実行可能なオーダ端末装置に対して通信接続する通信手段と、
前記オーダ端末装置から受信した同一顧客の前記注文データ及び手配データを一取引分の伝票データとして記憶管理する伝票データ記憶手段と、
前記伝票データ記憶手段に記憶されている伝票データ毎にその手配データに基づいて前記外部サービスの利用手配を行う手配手段と、
を備えるようにしたことを特徴とする伝票管理装置である。
【０００８】
上述した課題を解決するために本発明のプログラムは、
コンピュータに対して、
顧客から注文された注文データを入力処理して送信する注文データ処理と、顧客から外部サービスの利用手配の代行が依頼された場合にその手配データを入力処理して送信する手配データ処理を実行可能なオーダ端末装置に対して通信接続する機能と、
前記オーダ端末装置から受信した同一顧客の前記注文データ及び手配データを一取引分の伝票データとして記憶管理する機能と、
前記伝票データ記憶手段に記憶されている伝票データ毎にその手配データに基づいて前記外部サービスの利用手配を行う機能と、
を実現させるためのプログラムである。
【発明の効果】
【０００９】
本発明によれば、顧客から外部サービスの利用手配の代行が依頼された場合に、その手配データを注文データと共に伝票データとして処理することができ、手配業務により注文業務に支障を来すこともなく、顧客へのサービス向上を期待することが可能となる。
【図面の簡単な説明】
【００１０】
【図１】レストランなどでの飲食店で構築されている注文データ処理システムを示したブロック図。
【図２】オーダ端末装置１の基本的な構成要素を示したブロック図。
【図３】オーダ端末装置１において両開き型の左右の筐体を開いた状態を示した図。
【図４】コントロールボックス２の基本的な構成要素を示したブロック図。
【図５】ＥＣＲ６の基本的な構成要素を示したブロック図。
【図６】伝票データベース２Ａを説明するための図。
【図７】タクシー手配データベース２Ｂを説明するための図。
【図８】オーダ端末装置１の動作概要（本実施形態の特徴部分）を示したフローチャート。
【図９】コントロールボックス２の動作概要を示したフローチャート。
【図１０】タクシー手配データ生成処理（図９のステップＢ６）を詳述するためのフローチャート。
【図１１】ＥＣＲ６の動作概要を示したフローチャート。
【図１２】（１）〜（５）は、注文データを入力するオーダ入力画面に順次入力されたデータの入力状態を具体的に示した図。
【図１３】印刷発行されたタクシー手配用の伝票（タクシー呼出チケット）を例示した図。
【図１４】タクシー手配指示メッセージの表示例を示した図。
【発明を実施するための形態】
【００１１】
以下、図１〜図１４を参照して本発明の実施形態を説明する。
本実施形態は、レストランなどでの飲食店で構築されている注文データ処理システムに適用したもので、図１は、レストラン用の注文データ処理システムを示したブロック図である。
この注文データ処理システム（レストランシステム）は、受注者（ウェイターやウェイトレス）側のハンディ型のオーダ端末装置（注文データ入力装置：ハンディターミナル）１と該注文データ処理システム全体を制御するためのコントロールボックス２とが無線ＬＡＮ（Local Area Network）を構成するアクセスポイント３を介して通信接続されている。コントロールボックス２には、オーダ端末装置１のほかに、厨房側のキッチンプリンタ４と、顧客用の伝票を発行するフロアプリンタ５、会計処理を行うＥＣＲ（Electronic Cash Register）６が有線ＬＡＮ接続されている。
【００１２】
オーダ端末装置１は、受注者が所持する携帯可能なサイズ（掌サイズ）で、左右に開く両開き型の携帯端末装置であり、顧客（注文者）から注文を受けた際に、受注者がその注文データ（商品名、個数など）を入力したり、顧客から外部サービス（タクシー会社が提供しているタクシー配車サービス）を利用する手配の代行が依頼された際に、その手配データ（利用台数、利用タイミングなど）を入力したりする。ここで、受注者は、顧客からタクシー呼出の依頼を受けると、タクシー呼出キー（図１では図示省略）を操作した後、利用台数、利用タイミングなどの必要事項をキー入力する。これによって入力された注文データ及びタクシー手配データ（タクシー呼出データ）は、テーブル番号に対応付けてオーダ端末装置１からコントロールボックス２に送信されて登録される。なお、タクシー呼出の登録は、新規オーダ時に限らず、追加注文時であってもよい。
【００１３】
コントロールボックス２は、一取引分の注文データを伝票データとして記憶管理する伝票管理装置であり、伝票データベース（ＤＢ）２Ａ、タクシー手配データベース（ＤＢ）２Ｂを備え、オーダ端末装置１から受信した注文データを基に伝票データを生成して伝票データベース２Ａに登録し、また、受信したタクシー手配データ（タクシー呼出データ）をタクシー手配データベース２Ｂに登録する。そしてコントロールボックス２は、伝票データベース２Ａ内の伝票データをキッチンプリンタ４に送信して調理指示用の伝票を印刷発行させたり、タクシー手配データベース２Ｂ内のタクシー手配データをフロアプリンタ５に送信してタクシー手配用の伝票を印刷発行させたりする。また、ＥＣＲ６から受信した伝票番号に応じて伝票データベース２Ａを検索して該当する伝票データをＥＣＲ６に送信したり、タクシー手配データベース２Ｂを検索して該当するタクシー手配データをＥＣＲ６に送信したりする。
【００１４】
ＥＣＲ６は、伝票データに基づいて会計処理を行うもので、レシートプリンタ６Ａを備え、会計時に顧客から提示された伝票番号が入力されると、その伝票番号対応の伝票データをコントロールボックス２に対して要求し、それに応答して受信した伝票データに基づいて会計処理を行い、その処理結果をレシートプリンタ６Ａに送信してレシートを印刷発行させる。また、その伝票番号対応のタクシー手配データをコントロールボックス２に対して要求し、それに応答して受信したタクシー手配データをレシートプリンタ６Ａに送信してタクシー手配用の伝票を印刷発行させる。また、ＥＣＲ６にはインターネット７を介して管理サーバ装置８に接続されている。管理サーバ装置８は、各タクシー会社が提供しているタクシー配車サービスを一括管理してタクシー会社に配車を指示するためのタクシー管理装置であり、ＥＣＲ６からのタクシー手配の要求に応じて配車処理を実行し、その結果を要求元のＥＣＲ６に送信するようにしている。
【００１５】
図２は、オーダ端末装置１の基本的な構成要素を示したブロック図である。
オーダ端末装置１は、ＣＰＵ（中央演算処理装置）１１を中核とするもので、ＣＰＵ１１は、電源部（二次電池）１２からの電力供給によって動作し、記憶部１３内の各種のプログラムに応じてこのオーダ端末装置１の全体動作を制御する。記憶部１３は、例えば、ＲＯＭ、フラッシュメモリなどを有する構成で、後述する図８に示した動作手順に応じて本実施形態を実現するためのプログラムや各種のアプリケーションなどが格納されているプログラムメモリＭ１と、このオーダ端末装置１が動作するために必要となる各種の情報を一時的に記憶するワークメモリＭ２などを有する構成となっている。
【００１６】
タッチ入力表示部１４は、指などでタッチ操作された位置を検知してその座標データを入力するタッチスクリーンを構成するもので、表示部１５とタッチ入力部１６とを有している。表示部１５は、高精細液晶ディスプレイなどで、ソフトウェアキーとしての機能名を表示するほか、注文データ入力支援用のオーダ入力画面などを表示する。タッチ入力部１６は、例えば、静電容量の変化によりタッチ面にタッチ（接近又は接触）されたことを感知するもので、この透明なタッチ入力部１６が表示部１５の表示面全体に積層配設されている。無線ＬＡＮ通信部１７は、オーダ端末装置１とコントロールボックス２との間でアクセスポイント３を介してデータの送受信を行う通信インターフェイスである。キー操作部１８は、押しボタン式の各種のキー（電源キーなど）を備えた操作部である。
【００１７】
図３は、オーダ端末装置１においてその両開き型の左右の筐体を開いた状態を示した図で、左右の筐体には、タッチ入力表示部１４がそれぞれ配設され、各種の品目（ドリンク、料理）に対応してその品名などが一覧表示されている。また、左側の筐体には、各種の押しボタン式のキーとして、電源をオン／オフさせる電源キーＫ１、メニュー画面を表示させるメニューキーＫ２、入力された注文データやタクシー手配データをコントロールボックス２に送信すべきことを指示する送信キーＫ３、顧客からタクシー呼出の依頼を受けた際に操作されるタクシー呼出キーＫ４、タクシー呼出がキャンセルされた際に操作されるキャンセルキーＫ５などが配設されている。
【００１８】
図４は、コントロールボックス２の基本的な構成要素を示したブロック図である。
コントロールボックス２は、ＣＰＵ２１を中核とし、後述する図９及び図１０に示した動作手順に応じて本実施形態を実現するためのプログラムや各種のアプリケーションなどが格納されている記憶部２２と、電源キーなどを備えたキー操作部２３を有している。更にコントロールボックス２は、ＥＣＲ６との間でデータの送受信を行う有線ＬＡＮ通信部２４と、オーダ端末装置１との間でデータの送受信を行う無線ＬＡＮ通信部２５を有し、更に伝票データベース２Ａ、タクシー手配データベース２Ｂを備えた構成となっている。
【００１９】
図５は、ＥＣＲ６の基本的な構成要素を示したブロック図である。
ＥＣＲ６は、ＣＰＵ６１を中核とし、後述する図１１に示した動作手順に応じて本実施形態を実現するためのプログラムや各種のアプリケーションなどが格納されている記憶部６２と、預り金などを値数するテンキーなどの各種のキーを備えたキー操作部６３を有している。更にＥＣＲ６は、取引金額、預り金、つり銭金額や各種のメッセージなどを表示するオペレータ用表示部６４と、客用表示部６５と、コントロールボックス２との間でデータの送受信を行う有線ＬＡＮ通信部６６と、インターネット７を介して管理サーバ装置８に接続するための広域通信部６７を有し、更にレシートを印刷発行するレシートプリンタ６Ａを備えた構成となっている。
【００２０】
図６は、伝票データベース２Ａを説明するための図である。
伝票データベース２Ａは、一取引毎に生成された伝票データを記憶管理するもので、伝票データは、「伝票番号」、「テーブル番号」、「注文データ」、「客数」、「タクシー手配データ」、「その他」の各項目を有する構成となっている。「タクシー手配データ」は、外部サービス（本実施形態ではタクシー配車サービス）の利用手配の代行が依頼された場合に生成されたデータで、「依頼フラグ」、「受付番号」を有している。「依頼フラグ」は、タクシー配車サービスの利用申込みが依頼されたことを示すもので、“１”は、依頼有り、“０”は、依頼無し、を示している。「受付番号」は、依頼順（受付順）を示すデータで、タクシー手配データベース２Ｂとリンクさせるデータである。
【００２１】
図７は、タクシー手配データベース２Ｂを説明するための図である。
タクシー手配データベース２Ｂは、タクシー配車サービスの利用手配が依頼された場合に生成されたタクシー手配データを記憶管理するもので、このタクシー手配データは、「受付番号」、「テーブル番号」、「伝票番号」、「呼出タイミング」、「手配進捗状況」、「呼出台数」、「タクシー会社情報」、「その他のお客様情報」、「作成日時」の各項目を有する構成となっている。「受付番号」、「テーブル番号」、「伝票番号」は、伝票データベース２Ａとリンクさせるデータである。「呼出タイミング」は、タクシーをどのタイミングで呼び出すかを示し、“１：会計後”、“２：今すぐ”の２種類の中から選択されるが、２種類に限らず、その数は任意であり、更に顧客から指定されたタイミングであってもよい。なお、図中、数値を○で囲んだ項目が選択された項目を示している。
【００２２】
「手配進捗状況」は、タクシー手配に関する現時点の手配進捗状況を示し、“１：受付中”、“２：手配済み（呼出中）”、“３：キャンセル”の３種類の中から選択されるが、その数は３種類に限らない。なお、図中、数値を○で囲んだ項目が選択された項目を示している。「呼出台数」は、一取引（一伝票）当りのタクシーの呼出台数である。「タクシー会社情報」は、顧客から希望された指定タクシー会社に関する情報である。「その他のお客様情報」は、顧客を識別するための名前などである。「作成日時」は、タクシー手配データを生成した日時を示している。
【００２３】
次に、本実施形態におけるオーダ端末装置１、コントロールボックス２、ＥＣＲ６の動作概念を図８〜図１１に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、記録媒体のほかに、伝送媒体を介して外部供給されたプログラム／データを利用して本実施形態特有の動作を実行することもできる。
【００２４】
図８は、オーダ端末装置１の動作概要（本実施形態の特徴部分）を示したフローチャートで、以下、図１２に示すオーダ入力画面を参照して具体的に説明するものとする。
先ず、オーダ端末装置１は、新規のオーダ入力画面内に注文データが入力されたかを調べる（ステップＡ１）。この新規オーダ入力画面は、メニュー画面（図示省略）から“新規オーダ”の項目が選択されることによって表示されるもので、新規オーダ入力画面に注文データが入力されたときには（ステップＡ１でＹＥＳ）、注文データの入力処理が行われて注文データが新規オーダ入力画面に表示される（ステップＡ２）。ここで、受注者は、テーブル名、担当者名などを入力した後、注文データを順次入力する。図１２（１）は、新規オーダ入力画面に２項目分の注文データが入力された状態を示している。
【００２５】
ここで、タクシー呼出キーＫ４が操作されたか（顧客からタクシー呼出の依頼を受けたか）を調べ（ステップＡ３）、タクシー呼出キーＫ４が操作されなければ（ステップＡ３でＮＯ）、ステップＡ９に移り、送信キーＫ３が操作されたか（一取引分の注文データの入力終了が指示されたか）を調べる。ここで、送信キーＫ３が操作されなければ（ステップＡ９でＮＯ）、上述のステップＡ２に移り、以下、同様の新規オーダ入力処理を繰り返す。いま、タクシー呼出キーＫ４が操作されたときには（ステップＡ３でＹＥＳ）、コントロールボックス２に対してタクシー呼出手配用の入力フォームの送信を要求し、それに応答してコントロールボックス２から送信された入力フォームを受信してオーダ入力画面に表示させる（ステップＡ４）。
【００２６】
この状態において、タクシー手配データを入力する処理を行う（ステップＡ５〜Ａ８）。先ず、図１２（２）に示すように呼出台数の入力受付可能な状態となり、図示の例では呼出台数として“１台”が入力された場合である（ステップＡ５）。次に、図１２（３）に示すように呼出タイミングの入力を受付可能な状態となり、図示の例では呼出タイミングの選択候補として「会計後」、「今すぐ」の２種類から任意の呼出タイミングとして、「会計後」が選択された場合である（ステップＡ６）。次に、図１２（４）に示すようにタクシー会社情報の入力を受付可能な状態となり、図示の例ではタクシー会社情報の選択候補として「おまかせ」、「○○タクシー」、「□□タクシー」…の中から「おまかせ」が選択された場合である（ステップＡ７）。なお、特にタクシー会社を希望しないことを示している。その後、お客様情報の入力を行う（ステップＡ８）。
【００２７】
このようにしてタクシー手配データを入力し終わると（ステップステップＡ５〜Ａ８）、送信キーＫ３が操作されたか（一取引分の注文入力の終了が指示されたか）を調べる（ステップＡ９）。いま、送信キーＫ３が操作されず、注文入力を続行する場合には（ステップＡ９でＮＯ）、上述のステップＡ２に戻り、図１２（５）に示すように注文データの入力処理を継続するが、送信キーＫ３が操作されたときには（ステップＡ９でＹＥＳ）、テーブル番号に対応付けて注文データ、タクシー手配データをコントロールボックス２に送信する（ステップＡ１０）。その後、一取引分の入力処理を終了させるために上述のステップＡ１に戻る。
【００２８】
そして、新規オーダ入力後に、追加注文を受けたときには（ステップＡ１１でＹＥＳ）、その顧客のテーブル番号の入力可能状態となり、テーブル番号の入力に応じて（ステップＡ１２）、上述のステップＡ２に移り、以下、注文端末の入力が可能な状態となる。また、新規オーダ入力後に、タクシー呼出キーＫ４が操作されたときには（ステップＡ１３でＹＥＳ）、その顧客のテーブル番号の入力可能状態となり、テーブル番号の入力に応じて（ステップＡ１４）、上述のステップＡ４に移り、タクシー呼出データの入力処理が可能な状態となる。
【００２９】
図９は、コントロールボックス２の動作概要を示したフローチャートである。
先ず、コントロールボックス２は、オーダ端末装置１からデータを受信したかを調べ（ステップＢ１）、データを受信したときには（ステップＢ１でＹＥＳ）、伝票番号を更新すると共に、受信した注文データに基づいて伝票データを生成して伝票データベース２Ａに新規登録する（ステップＢ２）。そして、注文データに基づいて調理指示を生成してキッチンプリンタ４に送信し、調理指示の伝票を印刷発行させる（ステップＢ３）。
【００３０】
そして、受信データ内にタクシー手配データが含まれているか、つまり注文入力時にタクシー呼出が依頼されたかを調べ（ステップＢ４）、呼出依頼がなければ（ステップＢ４でＮＯ）、上述のステップＢ１に戻るが、呼出依頼があれば（ステップＢ４でＹＥＳ）、その伝票データ内の「依頼フラグ」を“１”とすると共に、タクシー手配データベース２Ｂを参照してタクシー手配の受付番号を更新し、その更新番号を伝票データ内の「受付番号」に登録する処理を行う（ステップＢ５）。その後、タクシー手配データを生成する処理に移る（ステップＢ６）。
【００３１】
図１０は、タクシー手配データ生成処理（図９のステップＢ６）を詳述するためのフローチャートである。
先ず、コントロールボックス２は、時計部（図示省略）で計時された現在日時を「作成日時」として取得した後（ステップＢ６１）、伝票データベース２Ａ内の該当する伝票データをアクセスし、その伝票データ内から「受付番号」、「伝票番号」、「テーブル番号」を読み出し取得すると共に（ステップＢ６２）、「呼出タイミング」、「台数」を読み出し取得する（ステップＢ６３）。そして、受信した「タクシー会社情報」を取得し（ステップＢ６４）、「タクシー会社情報」は、顧客から希望されたタクシー会社であるかを調べ（ステップＢ６５）、希望されたものであれば（ステップＢ６５でＹＥＳ）、そのタクシー会社を呼出対象とするが（ステップＢ６６）、希望されなければ（ステップＢ６５でＮＯ）、つまり、上述の「おまかせ」が選択されたときには、複数のタクシー会社の中から任意（例えば、ランダム）に選択したタクシー会社を呼出対象とする（ステップＢ６７）。次に、お客様情報を取得し（ステップＢ６８）、「呼出進捗状況」を“受付中”とする（ステップＢ６９）。
【００３２】
このようなタクシー手配データ生成処理（図９のステップＢ６）が終わると、生成したタクシー手配データをタクシー手配データベース２Ｂに追加登録する（ステップＢ７）。そして、今回新規登録したタクシー手配データ内の「呼出タイミング」は、“今すぐ”であるかを調べ（ステップＢ８）、“会計後”であれば（ステップＢ８でＮＯ）、上述のステップＢ１に戻るが、“今すぐ”であれば（ステップＢ８でＹＥＳ）、タクシー手配データをフロアプリンタ５に送信してタクシー手配用の伝票を印刷発行させる（ステップＢ９）。
【００３３】
図１３は、タクシー手配用の伝票（タクシー呼出チケット）の印刷例を示し、受付日時、受付番号、台数、お客様伝票番号、お客様テーブル番号、タクシー会社などが印刷される。ここで、フロアプリンタ５から発行されるタクシー手配用の伝票は、タクシー手配の担当者（本実施形態では会計担当者）に渡される。なお、会計担当者によるタクシー手配については後述するものとする。次に、今回新規登録したタクシー手配データ内の「手配進捗状況」を“手配済み”とした後（ステップＢ１０）、上述のステップＢ１に戻る。
【００３４】
次に、オーダ端末装置１において、タクシー呼出を依頼した顧客からその呼出進捗状況の確認要望を受けた場合に、その確認指示キー（図示省略）が操作されると共に（図８のステップＡ１５でＹＥＳ）、その顧客のテーブル番号が入力されると、コントロールボックス２に対して呼出進捗状況の確認要求を行う（ステップＡ１６）。
コントロールボックス２は、オーダ端末装置１から呼出進捗状況の確認要求を受信すると（図９のステップＢ１１でＹＥＳ）、受信したテーブル番号に基づいてタクシー手配データベース２Ｂを検索し（ステップＢ１２）、該当する「呼出進捗状況」を読み出して、要求元のオーダ端末装置１に送信する処理（ステップＢ１３）を行った後、上述のステップＢ１に戻る。
オーダ端末装置１は、コントロールボックス２から呼出進捗状況を受信すると（図８のステップＡ１７）、この呼出進捗状況をタッチ入力表示部１４に表示（ステップＡ１８）させた後、上述のステップＡ１に戻る。
【００３５】
また、オーダ端末装置１において、タクシー呼出依頼の顧客から依頼キャンセルの要望を受けた場合に、それに応じてキャンセルキーＫ５が操作されると（図８のステップＡ１９でＹＥＳ）、その顧客のテーブル番号の入力が可能な状態となり、入力されたテーブル番号に対応するタクシー呼出依頼をキャンセルすべきことを示す依頼キャンセルの要求をコントロールボックス２に対して行う（ステップＡ２０）。なお、オーダ端末装置１においてその他の操作が行われたときには（ステップＡ２１でＹＥＳ）、操作に応じた処理（ステップＡ２２）を行った後、上述のステップＡ１に戻る。
【００３６】
コントロールボックス２は、オーダ端末装置１から依頼キャンセルを受信すると（図９のステップＢ１４でＹＥＳ）、受信したテーブル番号に基づいてタクシー手配データベース２Ｂを検索して依頼キャンセル処理を行う（ステップＢ１５）。この場合、各タクシー手配データ内の「呼出進捗状況」を参照して、“手配済み”であるか否かを判別し、未手配の顧客、つまり「呼出進捗状況」が“受付中”の顧客に対してそのキャンセル分を割り当てるキャンセル処理を行う。そして、キャンセル依頼されたタクシー手配データ内の「呼出進捗状況」を“キャンセル”に変更する処理（ステップＢ１６）を行った後、上述のステップＢ１に戻る。
【００３７】
図１１は、ＥＣＲ６の動作概要を示したフローチャートである。
先ず、ＥＣＲ６は、顧客用の伝票に印刷されている伝票番号を入力する入力操作が行われると（ステップＣ１でＹＥＳ）、その伝票番号対応の伝票データの送信要求をコントロールボックス２に対して行う（ステップＣ２）。
コントロールボックス２は、ＥＣＲ６から伝票番号と共に伝票データの送信要求を受信すると（図９のステップＢ１７でＹＥＳ）、この伝票番号に基づいて伝票データベース２Ａを検索し、該当する伝票データを読み出してＥＣＲ６に送信する（ステップＢ１８）。
【００３８】
ＥＣＲ６は、コントロールボックス２から該当する伝票データを受信したかを調べ（図１１のステップＣ３）、伝票データを受信しなければ（ステップＣ３でＮＯ）、上述のステップＣ１に戻るが、伝票データを受信したときには（ステップＣ３でＹＥＳ）、この伝票データに基づいて会計処理・締め処理を実行し（ステップＣ４）、その処理結果をレシートプリンタ６Ａに送信してレシートを印刷発行させる（ステップＣ５）。そして、ＥＣＲ６は、受信した伝票データ内の「依頼フラグ」は“１”であるかを調べ（ステップＣ６）、“０”であれば（ステップＣ６でＮＯ）、上述のステップＣ１に戻るが、“１”であれば（ステップＣ６でＹＥＳ）、伝票番号対応のタクシー手配データの送信要求をコントロールボックス２に対して行う（ステップＣ７）。
【００３９】
コントロールボックス２は、ＥＣＲ６からタクシー手配データの要求を受信すると（図９のステップＢ１９でＹＥＳ）、受信した伝票番号に基づいてタクシー手配データベース２Ｂを検索し、該当するタクシー手配データを読み出してＥＣＲ６に送信する（ステップＢ２０）。
ＥＣＲ６は、コントロールボックス２からタクシー手配データを受信すると、このタクシー手配データをレシートプリンタ６Ａに送信して、タクシー手配用の伝票を印刷発行させる（図１１のステップＣ８）。これによって図１３に示すようなタクシー手配用の伝票（タクシー呼出チケット）が印刷発行される。そして、タクシー手配を行うべきことを指示する内容のメッセージを表示（ステップＣ９）させた後、上述のステップＣ１に戻る。図１４は、タクシー手配指示メッセージの表示例を示し、タクシー呼出チケットを確認してタクシー手配を行うべきことを指示する内容のメッセージが表示される。
【００４０】
ここで、会計担当者は、タクシー呼出チケットを確認してタクシー手配を行う。すなわち、固定電話機や携帯電話機（図示省略）によりタクシー会社に通話連絡してタクシー手配を行うか、タクシーの自動手配を行うが、通話連絡による手配を行った場合には、タクシー手配済みを指示する操作を行う。ＥＣＲ６は、タクシー手配済み操作が行われると（図１１のステップＣ１０でＹＥＳ）、伝票番号、呼出進捗状況（手配済み）をコントロールボックス２に送信する（ステップＣ１１）。
【００４１】
また、タクシーの自動手配を指示する操作が行われたときには（ステップＣ１２でＹＥＳ）、インターネット７を介して管理サーバ装置８をアクセスし（ステップＣ１３）、自己の店舗情報を付加してタクシー手配データを管理サーバ装８に送信することによりタクシーの自動手配を行い（ステップＣ１４）、伝票番号、呼出進捗状況（手配済み）をコントロールボックス２に送信する（ステップＣ１５）。その後、上述のステップＣ１に戻る。なお、ＥＣＲ６においてその他の操作が行われたときには（ステップＣ１６でＹＥＳ）、操作に応じた処理（ステップＣ１７）を行った後、上述のステップＣ１に戻る。
【００４２】
コントロールボックス２は、ＥＣＲ６から伝票番号、呼出進捗状況（手配済み）を受信すると（図９のステップＢ２１でＹＥＳ）、その伝票番号に基づいてタクシー手配データベース２Ｂを検索し、該当するタクシー手配データ内の「呼出進捗状況」を“手配済み”に更新する（ステップＢ２２）。なお、コントロールボックス２においてその他の操作が行われたときには（ステップＢ２３でＹＥＳ）、操作に応じた処理（ステップＢ２４）を行った後、上述のステップＢ１に戻る。
【００４３】
以上のように、本実施形態においてオーダ端末装置１は、顧客から注文を受けた場合にその注文データを入力処理してコントロールボックス２に送信し、顧客から外部サービスの利用手配の代行が依頼された場合にその手配データを入力処理してコントロールボックス２に送信し、コントロールボックス２は、オーダ端末装置１から受信した同一顧客の注文データと手配データとを対応付けて一取引分の伝票データとして記憶管理するほか、伝票データ毎にその手配データに基づいて外部サービスの利用手配を行うようにしたので、顧客から外部サービスの利用手配の代行が依頼された場合の手配データを注文データと共に伝票データとして処理することができ、手配業務により注文業務に支障を来すこともなく、顧客へのサービス向上を期待することが可能となる。
【００４４】
コントロールボックス２は、顧客用の伝票を発行するフロアプリンタ５に外部サービスの利用手配データを送信することにより手配指示用の伝票を印刷発行させるようにしたので、伝票を介しての手配指示が可能となり、手配指示が確実かつ容易なものとなる。
【００４５】
コントロールボックス２は、会計処理を行うＥＣＲ６に外部サービスの利用手配データを送信することにより送信することによって手配指示用の伝票を印刷発行させるようにしたので、伝票を介しての手配指示が可能となり、手配指示が確実かつ容易なものとなる。
【００４６】
コントロールボックス２は、会計処理を行うＥＣＲ６に外部サービスの利用手配データを送信することにより送信することによって手配指示用のメッセージを表示させるようにしたので、手配指示を会計担当者に確実に伝えることができる。
【００４７】
コントロールボックス２は、タクシー手配データベース２Ｂ内の「手配進捗状況」を更新してオーダ端末装置１に送信するようにしたので、オーダ端末装置１側では手配進捗状況を顧客に伝えることができる。
【００４８】
オーダ端末装置１は、顧客からその手配進捗状況の確認要求を受けた際に、コントロールボックス２に対して手配進捗状況の確認要求を送信し、それに応答してコントロールボックス２から受信した手配進捗状況を表示するようにしたので、受注者にあっては顧客からの要望に応じて手配進捗状況をその顧客に伝えることができる。
【００４９】
オーダ端末装置１は、顧客から外部サービスの利用手配の代行が依頼された場合に、注文データを入力するオーダ入力画面にその手配データを入力するようにしたので、受注者にあっては注文入力と同じ感覚で手配データを入力することができる。
【００５０】
外部サービスの利用手配データは、外部サービスを利用する利用量（タクシー台数）、利用タイミングを含むデータであるから、適切な手配が可能となる。
【００５１】
コントロールボックス２は、オーダ端末装置１から利用手配のキャンセルを受けた場合に、未手配の顧客に対してそのキャンセル分を割り当てるキャンセル処理を行うようにしたので、キャンセルに対しても適切に対応することができる。
【００５２】
ＥＣＲ６は、インターネット７を介して管理サーバ装置８に接続されており、管理サーバ装置８に対して自動的に利用手配を行うようにしたので、人手を介さずに利用手配を自動的に行うことができる。
【００５３】
顧客からタクシー配車サービスを利用する代行依頼を受けた場合に、タクシーの呼出を行う円滑に行うことができるので、飲食店などにとって効果的な顧客サービスを提供することが可能となる。
【００５４】
なお、上述した実施形態においては、タクシー自動手配を行う場合にＥＣＲ６がインターネット７を介して管理サーバ装置８に接続するようにしたが、コントロールボックス２がインターネット７を介して管理サーバ装置８に接続するようにしてもよい。すなわち、タクシー自動手配をコントロールボックス２側で行うようにしてもよい。また、ＥＣＲ６がコントロールボックス２の機能の全部あるいは一部を実行するようにしてもよい。つまり、伝票管理装置は、コントロールボックス２に限らず、ＥＣＲ６、ＰＣ（パーソナルコンピュータ）などであってもよい。
【００５５】
また、上述した実施形態においては、外部サービスとしてタクシー配車サービスに適用した場合を示したが、外部サービスは、これに限らず、施設予約サービスであってもよい。例えば、カラオケボックスと呼ばれる娯楽施設の利用予約サービスを外部サービスとしてもよい。この場合、カラオケボックスの予約サービスを利用する代行依頼を受けた場合に、オーダ端末装置１は、その利用人数、利用時間などの手配データを入力してコントロールボックス２に送信すればよい。
このように外部サービスを施設予約サービスとして、それを利用する手配とすれば、この手配業務により注文業務に支障を来すこともなく、顧客へのサービス向上を期待することが可能となる。
【００５６】
また、外部サービスは、商品配達サービスであってもよい。例えば、他の店舗における鮨やピザなどの出前サービス（商品配達サービス）を外部サービスとしてもよい。この場合、鮨やピザなどの出前サービスを利用する代行依頼を受けた場合に、オーダ端末装置１は、その注文品、個数、配達時間などの手配データを入力してコントロールボックス２に送信すればよい。このように外部サービスを商品配達サービスとしてそれを利用する手配とすれば、この手配業務により注文業務に支障を来すこともなく、顧客へのサービス向上を期待することが可能となる。
【００５７】
上述した実施形態においては、レストランなどの飲食店用の注文データ処理システムに適用した場合を例示したが、飲食店用の注文データ処理システムに限らず、どのような種類の店舗の注文データ処理システムであってもよい。
【００５８】
また、上述した実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００５９】
以上、この発明の実施形態について説明したが、この発明は、これに限定されるものではなく、特許請求の範囲に記載された発明とその均等の範囲を含むものである。
以下、本願出願の特許請求の範囲に記載された発明を付記する。
（付記）
（請求項１）
請求項１に記載の発明は、
一取引分の注文データを伝票データとして記憶管理する伝票管理装置と、顧客から注文された注文データを入力するオーダ端末装置とを備えた注文データ処理システムであって、
前記オーダ端末装置は、
顧客から注文された注文データを入力処理して前記伝票管理装置に送信する注文データ処理手段と、
顧客から外部サービスの利用手配の代行が依頼された場合に、その手配データを入力処理して前記伝票管理装置に送信する手配データ処理手段と、
を備え、
前記伝票管理装置は、
前記オーダ端末装置から受信した同一顧客の前記注文データと前記手配データとを対応付けて一取引分の伝票データとして記憶管理する伝票データ記憶手段と、
前記伝票データ記憶手段に記憶されている伝票データ毎にその手配データに基づいて前記外部サービスの利用手配を行う手配手段と、
を備える、
ことを特徴とする注文データ処理システムである。
（請求項２）
請求項２に記載の発明は、請求項１に記載の注文データ処理システムにおいて、
前記伝票管理装置から伝票データを受信取得して顧客用の伝票を発行するプリンタ装置を更に備え、
前記伝票管理装置の手配手段は、前記手配データを前記プリンタ装置に送信することによって手配指示用の伝票を印刷発行させる、
ようにしたことを特徴とする注文データ処理システムである。
（請求項３）
請求項３に記載の発明は、請求項１に記載の注文データ処理システムにおいて、
前記伝票管理装置から伝票データを受信して会計処理を行う会計装置を更に備え、
前記伝票管理装置の手配手段は、前記手配データを前記会計装置に送信することによりレシート発行用のプリンタ装置から手配指示用の伝票を印刷発行させる、
ようにしたことを特徴とする注文データ処理システムである。
（請求項４）
請求項４に記載の発明は、請求項１あるいは請求項３に記載の注文データ処理システムにおいて、
前記伝票管理装置から伝票データを受信して会計処理を行う会計装置を更に備え、
前記伝票管理装置の手配手段は、前記手配データを前記会計装置に送信することによって手配指示用のメッセージを表示させる、
ようにしたことを特徴とする注文データ処理システムである。
（請求項５）
請求項５に記載の発明は、請求項１〜請求項４のいずれかに記載の注文データ処理システムにおいて、
前記伝票管理装置は、
前記手配データに対応付けて手配の手配進捗状況を記憶する手配進捗状況記憶手段と、
前記手配進捗状況記憶手段内の手配進捗状況を更新する更新手段と、
前記更新手段により更新された手配進捗状況を前記オーダ端末装置に送信する手配進捗状況送信手段と、
を更に備える、
ようにしたことを特徴とする請求項１〜請求項４のいずれかに記載の注文データ処理システムである。
（請求項６）
請求項６に記載の発明は、請求項５に記載の注文データ処理システムにおいて、
前記オーダ端末装置は、
顧客からその手配進捗状況の確認要求を受けた際に、前記伝票管理装置に対して手配進捗状況の確認要求を送信する確認要求手段と、
前記確認要求手段の要求に応答して前記伝票管理装置から受信した手配進捗状況を表示する手配進捗状況表示手段と、
を更に備え、
ようにしたことを特徴とする注文データ処理システムである。
（請求項７）
請求項７に記載の発明は、請求項１〜請求項６のいずれかに記載の注文データ処理システムにおいて、
前記手配データ処理手段は、顧客から外部サービスの利用手配の代行が依頼された場合に、注文データを入力する入力画面にその手配データを入力する、
ようにしたことを特徴とする注文データ処理システムである。
（請求項８）
請求項８に記載の発明は、請求項１に記載の注文データ処理システムにおいて、
前記外部サービスの利用手配データは、少なくとも外部サービスを利用する利用量、利用タイミングを含むデータである、
ことを特徴とする注文データ処理システムである。
（請求項９）
請求項９に記載の発明は、請求項１〜請求項８のいずれかに記載の注文データ処理システムにおいて、
前記伝票管理装置は、
前記外部サービスの利用手配データに対応付けて手配済みか否かを示す手配進捗状況を記憶する手配進捗状況記憶手段と、
前記オーダ端末装置から前記利用手配のキャンセルを受けた場合に、前記手配進捗状況記憶手段の内容を参照して手配済みか否かを判別し、未手配の顧客に対してそのキャンセル分を割り当てるキャンセル処理を行うキャンセル処理手段を更に備える、
ようにしたことを特徴とする注文データ処理システムである。
（請求項１０）
請求項１０に記載の発明は、請求項１に記載の注文データ処理システムにおいて、
前記伝票管理装置は、
広域通信網を介して外部サービスシステムに接続する接続手段を更に備え、
前記手配手段は、前記外部サービスの利用手配データをそのサービスシステムに送信することにより前記外部サービスの利用手配を行う、
ようにしたことを特徴とする注文データ処理システムである。
（請求項１１）
請求項１１に記載の発明は、請求項１〜請求項１０のいずれかに記載の注文データ処理システムにおいて、
前記外部サービスは、タクシー配車サービスであり、
前記外部サービスの利用手配データは、前記タクシー配車サービスを利用する代行依頼を受けた場合のタクシー利用に関する手配データである、
ことを特徴とする注文データ処理システムである。
（請求項１２）
請求項１２に記載の発明は、請求項１〜請求項１０のいずれかに記載の注文データ処理システムにおいて、
前記外部サービスは、施設予約サービスであり、
前記外部サービスの利用手配データは、前記施設予約サービスを利用する代行依頼を受けた場合の施設利用に関する手配データである、
ことを特徴とする注文データ処理システムである。
（請求項１３）
請求項１３に記載の発明は、請求項１〜請求項１０のいずれかに記載の注文データ処理システムにおいて、
前記外部サービスは、商品配達サービスであり、
前記外部サービスの利用手配データは、前記商品配達サービスを利用する代行依頼を受けた場合の配達利用に関する手配データである、
ことを特徴とする注文データ処理システムである。
（請求項１４）
請求項１４に記載の発明は、
一取引分の注文データを伝票データとして記憶管理する伝票管理装置であって、
顧客から注文された注文データを入力処理して送信する注文データ処理と、顧客から外部サービスの利用手配の代行が依頼された場合にその手配データを入力処理して送信する手配データ処理を実行可能なオーダ端末装置に対して通信接続する通信手段と、
前記オーダ端末装置から受信した同一顧客の前記注文データ及び手配データを一取引分の伝票データとして記憶管理する伝票データ記憶手段と、
前記伝票データ記憶手段に記憶されている伝票データ毎にその手配データに基づいて前記外部サービスの利用手配を行う手配手段と、
を備えるようにしたことを特徴とする伝票管理装置である。
（請求項１５）
請求項１５に記載の発明は、
コンピュータに対して、
顧客から注文された注文データを入力処理して送信する注文データ処理と、顧客から外部サービスの利用手配の代行が依頼された場合にその手配データを入力処理して送信する手配データ処理を実行可能なオーダ端末装置に対して通信接続する機能と、
前記オーダ端末装置から受信した同一顧客の前記注文データ及び手配データを一取引分の伝票データとして記憶管理する機能と、
前記伝票データ記憶手段に記憶されている伝票データ毎にその手配データに基づいて前記外部サービスの利用手配を行う機能と、
を実現させるためのプログラムである。
【符号の説明】
【００６０】
１  オーダ端末装置
２  コントロールボックス
２Ａ  伝票データベース
２Ｂ  タクシー手配データベース
３  アクセスポイント
５  フロアプリンタ
６  ＥＣＲ
６Ａ  レシートプリンタ
７  インターネット
８  管理サーバ装置
１１、２１、６１  ＣＰＵ
１３、２２、６２  記憶部
１４  タッチ入力表示部
１７  無線ＬＡＮ通信部
２４  有線ＬＡＮ通信部
２５  無線ＬＡＮ通信部
６７  広域通信部
【図１】
2013171492.tif 000003
【図２】
2013171492.tif 000004
【図３】
2013171492.tif 000005
【図４】
2013171492.tif 000006
【図５】
2013171492.tif 000007
【図６】
2013171492.tif 000008
【図７】
2013171492.tif 000009
【図８】
2013171492.tif 000010
【図９】
2013171492.tif 000011
【図１０】
2013171492.tif 000012
【図１１】
2013171492.tif 000013
【図１２】
2013171492.tif 000014
【図１３】
2013171492.tif 000015
【図１４】
2013171492.tif 000016